(57)【特許請求の範囲】
【請求項１】
断熱材入りの壁パネルを備えてなる建物ユニットにおいて、
壁パネルが外壁下地材より内側に枠材と断熱材を備えるものであり、
前記壁パネルの外側に外断熱材と外壁面材を設けてなり、
ユニット建物構築後に相隣る建物ユニットとの接合部となる建物ユニットの端部で、継ぎ用外壁面材及び接合部の断熱材を跨がらせて配置するための部分を空けるべく、壁パネルが外壁面材よりも突出した突出部を形成してなり、
前記枠材がこの突出部の外壁下地材の内側にもあることを特徴とする建物ユニット。
【請求項２】
請求項１に記載の建物ユニットの製造方法であって、
外壁面材に取付具と外断熱材を予めサブ組立した大壁を作製し、この大壁の取付具を建物ユニットの壁パネルに取付けることを特徴とする建物ユニットの製造方法。
【請求項３】
請求項１記載の建物ユニットを複数隣接設置してなるユニット建物において、
相隣る建物ユニットの接合部で、壁パネル間に断熱材を挿着し、両方の壁パネルの前記突出部の表面に跨がって外断熱材を装着し、外側に継ぎ用外壁面材を取着してなることを特徴とするユニット建物。
【発明の詳細な説明】
【０００１】
【発明の属する技術分野】
本発明は、建物ユニットとその製造方法とユニット建物に関する。
【０００２】
【従来の技術】
従来、建物ユニットでは、特開平７−７６８７８号公報に記載の如く、壁パネルに断熱材を充填し、建物の断熱性を向上している。
【０００３】
【発明が解決しようとする課題】
本発明の課題は、建物の断熱性を一層向上することにある。
【０００４】
【課題を解決するための手段】
請求項１に記載の本発明は、断熱材入りの壁パネルを備えてなる建物ユニットにおいて、壁パネルが外壁下地材より内側に枠材と断熱材を備えるものであり、前記壁パネルの外側に外断熱材と外壁面材を設けてなり、ユニット建物構築後に相隣る建物ユニットとの接合部となる建物ユニットの端部で、継ぎ用外壁面材及び接合部の断熱材を跨がらせて配置するための部分を空けるべく、壁パネルが外壁面材よりも突出した突出部を形成してなり、前記枠材がこの突出部の外壁下地材の内側にもあるようにしたものである。
【０００５】
請求項２に記載の本発明は、請求項１に記載の建物ユニットの製造方法であって、外壁面材に取付具と外断熱材を予めサブ組立した大壁を作製し、この大壁の取付具を建物ユニットの壁パネルに取付けるようにしたものである。
【０００６】
請求項３に記載の本発明は、請求項１記載の建物ユニットを複数隣接設置してなるユニット建物において、相隣る建物ユニットの接合部で、壁パネル間に断熱材を挿着し、両方の壁パネルの前記突出部に跨がって外断熱材を装着し、外側に継ぎ用外壁面材を取着してなるようにしたものである。
【０００７】
【作用】
請求項１の本発明によれば下記（１）の作用がある。
（１）建物ユニットにおいて、断熱材入りの壁パネルの外側に、更に外断熱材を付加したから、建物の断熱性を一層向上できる。建築現場では相隣る建物ユニットとの接合部以外で外断熱材や外壁面材を取付ける必要が無く、その分少ない作業でユニット建物を構築できる。
【０００８】
請求項２の本発明によれば下記（２）の作用がある。
（２）建物ユニットの壁パネルの外側に上述（１）の外断熱材を付加するに際し、外壁面材と取付具と外断熱材をサブ組立した大壁を用意しておき、この大壁の取付具を建物ユニットの壁パネルに取付けることにて、一挙に外断熱材を付加した建物ユニットを提供できる。従って、建物ユニットの壁パネルに複数枚の外断熱材、複数個の取付具、外壁面材を順に取付けるものに比して、建物ユニットの工場生産性を向上できる。
【０００９】
請求項３の本発明によれば下記（３）の作用がある。
（３）ユニット建物において、相隣る建物ユニットの接合部に跨がって外断熱材を装着することにより、建物の断熱性を一層向上できる。特に、この外断熱材は、建物ユニット間の隙間に押し込むのではなく、建物ユニットの接合部に跨がらせるようにしているので、断熱材の破損や変形が生じにくく、確実に断熱性を向上できる。
【００１０】
尚、上述（１）、（３）の外断熱材、断熱材としてグラスウールボード等の自立性のある成形断熱材を用いるものとすれば、それら断熱材の装填時にねじれ、変形を生じにくく、装填作業性を向上できる。
【００１１】
【発明の実施の形態】
図１は建物ユニットを示す平面図、図２はユニット建物を示す平面図、図３は建物ユニットに外断熱材入り大壁を取付けた状態を示す断面図、図４は相隣る建物ユニットの間に断熱材を介装した状態を示す断面図、図５は外断熱材入り大壁を示し、（Ａ）はサブ組立過程を示す平面図、（Ｂ）は大壁の取付状態を示す断面図、図６は外断熱材入り大壁の他の例を示し、（Ａ）はサブ組立過程を示す平面図、（Ｂ）は大壁の取付状態を示す断面図である。
【００１２】
ユニット建物１０は、建物ユニット１１を工場生産し、これら建物ユニット１１を建築現場に輸送して据え付けることにて構築される（図１、図２）。
【００１３】
（建物ユニット１１）（図３）
建物ユニット１１は、工場生産段階で、床パネル１２の外縁部に壁パネル１３を立設されて構成される。そして、壁パネル１３は、図３に示す如く、枠材１４の内側に石膏ボード等の内壁面材１５を、外側に構造面材等の外壁下地材１６を取着し、内壁面材１５と外壁下地材１６の間に細繊維グラスウール等の断熱材１７を装填して構成されている。尚、内壁面材１５と断熱材１７の間には、ポリエチレンフィルム等の気密シート１８が介装されている。
【００１４】
然るに、本実施形態では、建物ユニット１１の壁パネル１３の外側に、大壁２０を取着し、この大壁２０に外断熱材２１を装填してある（図１）。
【００１５】
即ち、大壁２０は、壁パネル１３に取付けられる取付具としての胴縁２２と、胴縁２２にビス止めされるスペーサ２３と、スペーサ２３に取着されるシンセライト等の外壁面材２４と、相隣る胴縁２２の間に装填されるグラスウールボード等の外断熱材２１と、外断熱材２１の外側面を被覆する防水紙２５とから構成されている。尚、建物ユニット１１のコーナー部では、外壁面材２４として化粧金属板２４Ａが用いられている。また、相隣る外壁面材２４（化粧金属板２４Ａ）の間のねじにはガスケット２６が挿着されている。また、外壁面材２４の巾方向中央部には胴縁２７が接着剤等により取着され、この胴縁２７は壁パネル１３の外壁下地材１６の側から打ち込まれるビス２８に固定され、外壁面材２４を強固に支持可能としている。
【００１６】
（ユニット建物１０）（図４）
ユニット建物１０は、相隣る建物ユニット１１、１１の接合部３０に、以下の如くに断熱材３１、外断熱材３２を介装している。
【００１７】
即ち、ユニット建物１０にあっては、相隣る建物ユニット１１、１１を建築現場に据え付けた後、それら建物ユニット１１、１１の壁パネル１３、１３の間隙部に、それら建物ユニット１１、１１の内側からグラスウールボード等の断熱材３１を挿着し、この断熱材３１を気密シート１８で覆い、更に継ぎ用内壁面材３３をそれら壁パネル１３の枠材１４に取着する。
【００１８】
また、相隣る建物ユニット１１、１１の大壁２０、２０の間に、それら建物ユニット１１、１１の外側からグラスウールボード等の外断熱材３２を挿着し、この外断熱材３２を防水紙２５で覆い、更に大壁２０の胴縁２２にスペーサ２３をビス止めし、このスペーサ２３に継ぎ用外壁面材３４を取着し、大壁２０の外壁面材２４とこの継ぎ用外壁面材３４との間にガスケット３５を挿着する。
このため、建物ユニット１１は、壁パネル１３が外壁下地材１６より内側に枠材１４と断熱材１７を備えるものであり、前記壁パネル１３の外側に外断熱材２１と外壁面材２４を設けてなり、ユニット建物１０構築後に相隣る建物ユニット１１との接合部となる建物ユニット１１の端部で、継ぎ用外壁面材３４及び接合部の断熱材３１を跨がらせて配置するための部分を空けるべく、壁パネル１３が外壁面材２４よりも突出した突出部を形成してなり、前記枠材１４がこの突出部の裏側にものとなっている。
【００１９】
（建物ユニット１１の製造方法）（図５、図６）
前述の建物ユニット１１にあっては、壁パネル１３に大壁２０を取着する際に、図５（Ａ）に示す如く、外壁面材２４にスペーサ２３と防水紙２５と胴縁２２と外断熱材２１を予めサブ組立した大壁２０を作製し、その後、この大壁２０の胴縁２２を建物ユニット１１の壁パネル１３の外壁下地材１６、枠材１４に釘打ち等にて取付ける。
【００２０】
尚、スペーサ２３は、図３、図４の例では左右の外壁面材２４にそれぞれ対応する左右のスペーサ２３を別体としたが、図５の例では左右の外壁面材２４のそれぞれに対応する左右の取付部２３Ａ、２３Ｂを一体とした。
【００２１】
また、建物ユニット１１の他の製造方法として、図６に示す如く、胴縁２２を用いずに、スペーサ２３をハット型とし、このスペーサ２３を壁パネル１３に取付けられる取付具とするものであっても良い。この場合には、図６（Ａ）に示す如く、外壁面材２４にスペーサ２３と防水紙２５と外断熱材２１をサブ組立した大壁２０を作製し（スペーサ２３に設けた両面粘着テープ４１に防水紙２５を貼着）、その後、この大壁２０のスペーサ２３を建物ユニット１１の壁パネル１３の外壁下地材１６、枠材１４にビス止め等にて取り付ける。
【００２２】
従って、本実施形態によれば、以下の作用がある。
（１）建物ユニット１１において、断熱材１７入りの壁パネル１３の外側に、更に外断熱材２１を付加したから、建物の断熱性を一層向上できる。建築現場では接合部以外で外断熱材２１や外壁面材２４を取付ける必要が無く、その分少ない作業でユニット建物を構築できる。
【００２３】
（２）建物ユニット１１の壁パネル１３の外側に上述（１）の外断熱材２１を付加するに際し、外壁面材２４と胴縁２２（取付具）と外断熱材２１をサブ組立した大壁２０を用意しておき、この大壁２０の胴縁２２（取付具）を建物ユニット１１の壁パネル１３に取付けることにて、一挙に外断熱材２１を付加した建物ユニット１１を提供できる。従って、建物ユニット１１の壁パネル１３に複数枚の外断熱材２１、複数個の胴縁２２（取付具）、外壁面材２４を順に取付けるものに比して、建物ユニット１１の工場生産性を向上できる。
【００２４】
（３）ユニット建物１０において、相隣る建物ユニット１１の接合部３０に跨がって外断熱材３２を装着することにより、建物の断熱性を一層向上できる。特に、この外断熱材３２は、建物ユニット１１間の隙間に押し込むのではなく、建物ユニット１１の接合部に跨がらせるようにしているので、断熱材の破損や変形が生じにくく、確実に断熱性を向上できる。
【００２５】
尚、本発明の実施により、建物ユニット１１が断熱材１７に加えて外断熱材２１を備えたことにより、建物ユニット１１の熱損失係数（Ｋｃａｌ／ｍ2・ｈ・℃）（Ｑ値）を1.37から1.2に向上できることを認めた。
【００２６】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、相隣る建物ユニット１１、１１の接合部３０に設ける断熱材は、外断熱材３２だけでも良く、断熱材３１を併せ備えることを必ずしも要しない。
【００２７】
また、本発明の実施において、建物ユニットの壁パネルの外側に設ける外断熱材は、一層だけでなく、二層以上からなるものであっても良い。
【００２８】
【発明の効果】
以上のように本発明によれば、建物の断熱性を一層向上することができる。
【図面の簡単な説明】
【図１】  図１は建物ユニットを示す平面図である。
【図２】  図２はユニット建物を示す平面図である。
【図３】  図３は建物ユニットに外断熱材入り大壁を取付けた状態を示す断面図である。
【図４】  図４は相隣る建物ユニットの間に断熱材を介装した状態を示す断面図である。
【図５】  図５は外断熱材入り大壁を示し、（Ａ）はサブ組立過程を示す平面図、（Ｂ）は大壁の取付状態を示す断面図である。
【図６】  図６は外断熱材入り大壁の他の例を示し、（Ａ）はサブ組立過程を示す平面図、（Ｂ）は大壁の取付状態を示す断面図である。
【符号の説明】
１０  ユニット建物
１１  建物ユニット
１３  壁パネル
１７  断熱材
２０  大壁
２１  外断熱材
２２  胴縁（取付具）
２４  外壁面材
３０  接合部
３１、３２  断熱材
【図１】
0004104244.tif 000002
【図２】
0004104244.tif 000003
【図３】
0004104244.tif 000004
【図４】
0004104244.tif 000005
【図５】
0004104244.tif 000006
【図６】
0004104244.tif 000007